(57)【特許請求の範囲】
【請求項１】
モバイル装置を載置するための表面を有し、かつ識別コードを内蔵したセンサー回路シートが内部に埋め込まれるセンサーベースと、
リモートサーバーと、
前記モバイル装置内に設けられるローカル端末アプリケーションプログラムと、を有する車載用ホルダーの音声システムであって、
前記モバイル装置が前記センサーベースに載置されると、前記センサーベースにおけるセンサー回路シート内の識別コードが、前記モバイル装置における前記ローカル端末アプリケーションプログラムによって前記リモートサーバーに伝送され、
前記リモートサーバーが、前記センサーベースにおけるセンサー回路シート内の識別コードを受け取って確認すると、アクノリッジ信号が、前記モバイル装置における前記ローカル端末アプリケーションプログラムに伝送され、
前記モバイル装置における前記ローカル端末アプリケーションプログラムが前記アクノリッジ信号を受け取ると、前記モバイル装置における前記ローカル端末アプリケーションプログラムが起動し、
前記ローカル端末アプリケーションプログラムは、文字言語処理、文字ソース選定処理、文字認識、及び音声出力を含み、
前記車載用ホルダーの音声システムは、使用者の操作によって前記音声出力を中止又は続行する入力装置をさらに有し、
使用者は、前記入力装置で受け取ったメッセージソースを選定することを特徴とする、車載用ホルダーの音声システム。
【請求項２】
前記センサー回路シートは、近距離無線通信（Ｎｅａｒ  Ｆｉｅｌｄ  Ｃｏｍｍｕｎｉｃａｔｉｏｎ、ＮＦＣ）タグ（ｔａｇ）であることを特徴とする、請求項１に記載の車載用ホルダーの音声システム。
【請求項３】
前記リモートサーバーは、識別コードデータベースをさらに有し、かつ、前記識別コードを受け取った後に、それを前記識別コードデータベースと照合することにより、前記アクノリッジ信号を伝送するか否かを決定することを特徴とする、請求項１に記載の車載用ホルダーの音声システム。
【請求項４】
前記リモートサーバーは、アルゴリズムで前記識別コードの信頼性（Ａｕｔｈｅｎｔｉｃｉｔｙ）を決定することにより、前記アクノリッジ信号を伝送するか否かを決定することを特徴とする、請求項１に記載の車載用ホルダーの音声システム。
【請求項５】
前記文字ソース選定処理は、使用者が選定したメッセージソースによって実行されることを特徴とする、請求項１に記載の車載用ホルダーの音声システム。
【請求項６】
前記文字言語処理は、異なる言語によって音声の発音イントネーションを調整することを特徴とする、請求項１に記載の車載用ホルダーの音声システム。
【請求項７】
前記文字認識は、異なる言語によって実行されることを特徴とする、請求項１に記載の車載用ホルダーの音声システム。
【発明の詳細な説明】
【技術分野】
【０００１】
本発明は、音声システムに関し、特に、車載用ホルダーに載置されるモバイル装置で受け取った文字を自動的に音声で放送できる車載用ホルダーの音声システムに関する。
【背景技術】
【０００２】
モバイル装置、特にスマートフォンは、運転中にナビゲーション機能を提供する上に、メッセージ伝送や通話などの通信機能に用いられる。
【発明の概要】
【発明が解決しようとする課題】
【０００３】
運転安全のために、上記操作は、一般的に自動音声放送による出力、無線センサー装置など使用者から過度の注意や手の操作を求めない方法を利用する。しかしながら、従来技術や従来製品は、ほとんどマニュアルで各機能を起動する必要があり、かつ、使用者の識別が不十分で、カスタマイズ設定、例えば、文字選定、音声種類などの設定機能も不十分である。なお、冗長や不要な内容があった場合は、任意に中止又はスキップすることができない。
【０００４】
そのため、上記の問題を解決し、安全性及び利便性をより向上させるために、改良した音声アシスタントシステム及び方法が求められている。
【課題を解決するための手段】
【０００５】
上記問題を解決するために、本発明は、モバイル装置を載置するための表面を有し、かつ識別コードを内蔵したセンサー回路シートが内部に埋め込まれるセンサーベースと、リモートサーバーと、前記モバイル装置内に設けられるローカル端末アプリケーションプログラムと、を有する車載用ホルダーの音声システムであって、前記モバイル装置が前記センサーベースに載置されると、前記センサーベースにおけるセンサー回路シート内の識別コードが、前記モバイル装置における前記ローカル端末アプリケーションプログラムによって前記リモートサーバーに伝送され、前記リモートサーバーが、前記センサーベースにおけるセンサー回路シート内の識別コードを受け取って確認すると、アクノリッジ信号が、前記モバイル装置における前記ローカル端末アプリケーションプログラムプログラムに伝送され、前記モバイル装置における前記ローカル端末アプリケーションプログラムが前記アクノリッジ信号を受け取ると、前記モバイル装置における前記ローカル端末アプリケーションプログラムが起動することを特徴とする、車載用ホルダーの音声システムを提供する。
【０００６】
本発明の一実施例において、前記センサー回路シートは、近距離無線通信（Ｎｅａｒ  Ｆｉｅｌｄ  Ｃｏｍｍｕｎｉｃａｔｉｏｎ、ＮＦＣ）タグ（ｔａｇ）である。
【０００７】
本発明の一実施例において、前記リモートサーバーは、識別コードデータベースをさらに有し、かつ、前記識別コードを受け取った後に、それを前記識別コードデータベースと照合することにより、前記アクノリッジ信号を伝送するか否かを決定する。
【０００８】
本発明の一実施例において、前記リモートサーバーは、アルゴリズムで前記識別コードの信頼性（Ａｕｔｈｅｎｔｉｃｉｔｙ）を決定することにより、前記アクノリッジ信号を伝送するか否かを決定する。
【０００９】
本発明の一実施例において、前記ローカル端末アプリケーションプログラムは、文字言語処理、文字ソース選定処理、文字認識、及び音声出力を含む。
【００１０】
本発明の上記実施例において、使用者の操作によって前記音声出力を中止又は続行できる入力装置をさらに有する。
【００１１】
本発明の上記実施例において、使用者は、前記入力装置で受け取ったメッセージソースを選定することができる。
【００１２】
本発明の上記実施例において、前記文字言語処理は、異なる言語によって音声の発音イントネーションを調整する。
【００１３】
本発明の上記実施例において、前記文字ソース選定処理は、使用者が選定したメッセージソースによって実行される。
【００１４】
本発明の上記実施例において、前記文字認識は、異なる言語によって実行される。
【発明の効果】
【００１５】
本発明の車載用ホルダーの音声システムによれば、ＮＦＣ技術を利用して全自動電磁誘導を行うことによって、タッチしなくて音声放送機能を自動的に起動し、かつ、文字言語処理、文字ソース選定処理、文字認識などに対してより完璧なカスタマイズ設定を行うことができる。さらに、言語サポートは、ニーズに応じてサポート言語を追加することができる。なお、冗長や不要な内容があった場合は、使用者の操作によって任意に中止又は続行することができ、運転の安全及び利便性をより向上させる。
【図面の簡単な説明】
【００１６】
【図１】本発明の実施例に係る車載用ホルダーの音声システムの模式図である。
【図２】本発明の実施例に係るセンサーベース及びＮＦＣタグの模式図である。
【発明を実施するための形態】
【００１７】
以下、図１を参照しながら説明する。図１は、本発明の実施例に係る車載用ホルダーの音声システムの模式図である。図１に示すように、本発明の車載用ホルダーの音声システム１は、モバイル装置を載置するための表面を有するセンサーベース１１と、リモートサーバー１２と、ローカル端末アプリケーションプログラム１３と、を有する。前記モバイル装置には、前記ローカル端末アプリケーションプログラム１３が設けられる。前記モバイル装置が前記センサーベース１１に載置されると、前記モバイル装置における前記ローカル端末アプリケーションプログラム１３は、前記モバイル装置の通信接続機能によって前記リモートサーバー１２と接続され、前記リモートサーバー１２からのアクノリッジ信号を受け取る。前記モバイル装置における前記ローカル端末アプリケーションプログラム１３は、前記アクノリッジ信号を受け取ると起動する。
【００１８】
以下、図１及び図２を参照しながら説明する。図２は、本発明の実施例に係るセンサーベース及びＮＦＣタグの模式図である。図２に示すように、前記リモートサーバー１２と前記ローカル端末アプリケーションプログラム１３（実際には、前記センサーベース１１）との間の認証は、前記センサーベース１１の内部に埋め込まれるセンサー回路シート１１１によって実行される。
【００１９】
言い換えると、前記センサーベース１１は、モバイル装置を載置するための表面を有し、識別コードＣ＿ＩＤを内蔵した前記センサー回路シート１１１が内部に埋め込まれる。前記ローカル端末アプリケーションプログラム１３は、前記モバイル装置内に設けられる。前記モバイル装置が前記センサーベース１１に載置されると、前記モバイル装置における前記ローカル端末アプリケーションプログラム１３は、前記センサーベース１１におけるセンサー回路シート１１１内の識別コードＣ＿ＩＤを前記リモートサーバー１２に伝送する。前記リモートサーバー１２が前記センサーベース１１におけるセンサー回路シート１１１内の識別コードＣ＿ＩＤを受け取って確認すると、アクノリッジ信号Ｓ＿ＡＣＫを前記モバイル装置における前記ローカル端末アプリケーションプログラム１３に伝送する。前記モバイル装置における前記ローカル端末アプリケーションプログラム１３が前記アクノリッジ信号Ｓ＿ＡＣＫを受け取ると、前記モバイル装置における前記ローカル端末アプリケーションプログラム１３が起動する。
【００２０】
そのため、使用者が前記ローカル端末アプリケーションプログラム１３をダウンロードしてインストール済のモバイル装置、例えば、携帯電話を前記センサーベース１１に載置すると、前記モバイル装置は、誘導方法によって前記センサーベース１１の前記センサー回路シート１１１の識別コードＣ＿ＩＤを前記リモートサーバー１２に伝送して認証を進行する。認証済みの後（即ち、前記アクノリッジ信号Ｓ＿ＡＣＫを受け取った後）、前記ローカル端末アプリケーション１３が起動する。
【００２１】
また、前記リモートサーバー１２は、前記識別コードＣ＿ＩＤを受け取った後に、前記識別コードＣ＿ＩＤと前記リモートサーバー１２に保存や認証した全ての識別コードとを照合し、又は、アルゴリズムで前記識別コードＣ＿ＩＤの信頼性（ａｕｔｈｅｎｔｉｃｉｔｙ）を計算することができる。例えば、好ましい実施例において、前記リモートサーバー１２は、識別コードデータベースをさらに有する。前記リモートサーバー１２は、受け取った前記識別コードＣ＿ＩＤを前記識別コードデータベースと照合することにより、前記アクノリッジ信号Ｓ＿ＡＣＫを前記ローカル端末アプリケーションプログラム１３に伝送するか否かを決定する。一致していない場合には、前記アクノリッジ信号Ｓ＿ＡＣＫを伝送しないことになる。
【００２２】
本発明の実施例において、前記ローカル端末アプリケーションプログラム１３は、例えば、ＬＩＮＥ（ＬＩＮＥ株式会社によるＳＮＳソフトウェア：登録商標）のようなインスタントメッセンジャーアプリケーションに対応する文字言語処理、文字ソース選定処理、文字認識、及び音声出力を行うためのアプリケーションプログラムである。
【００２３】
好ましい実施例において、本発明の車載用ホルダーの音声システムは、入力装置をさらに有する。例えば、前記入力装置は、ボタンを有する装置であってもよく、有線又は無線の方法で前記モバイル装置と接続することにより、使用者が音声放送を聞く途中に中止又は続行できる。よって、冗長や不要な内容、例えば、長すぎるＬＩＮＥメッセージ内容を一旦スキップし、次のメッセージ内容を再生することができる。
【００２４】
同様に、前記文字ソース選定処理機能は、使用者が上記入力装置を用いて選定項目を選択し、受け取りたいメッセージのソース、例えば、ショートメッセージのような文字メッセージプッシュ、又は、ＬＩＮＥの広告メッセージや一般メッセージなどを設定することにより、メッセージ内容に対して、例えば年齢制限を設定し、不適切な音声内容を避けることができる。なお、文字言語処理機能は、異なる言語によって音声の発音イントネーションを調整することができ、例えば、同じ言語でも異なる地域のイントネーションを有してもよい。また、異なる言語に対して言語の特徴オプションを有することもできる。文字認識機能は、上記使用者が選定したメッセージソースの結果、異なる言語、及び言語設定によって実現する。
【００２５】
好ましい実施例において、前記センサー回路シート１１１は、ＮＦＣタグである。以下、図２を参照しながら説明する。図２は、本発明の好ましい実施例に係るセンサーベース及びＮＦＣタグの模式図である。図２に示すように、前記センサーベース１１には、ＮＦＣタグ２０が貼付されている。前記センサーベース１１は、電磁誘導によって前記ローカル端末アプリケーションプログラム１３と接続すると、前記ＮＦＣタグ２０からＵＲＬ及び前記識別コードＣ＿ＩＤを取得し、前記リモートサーバー１２と接続し、上記認証を実行することができる。
【００２６】
なお、前記ＮＦＣタグ２０は、予めに識別コードＣ＿ＩＤ及び上記ＵＲＬを保存して作成する必要がある。前記ＵＲＬは、前記リモートサーバー１２にリンクするものである。作成した前記ＮＦＣタグ２０は、本発明の前記センサーベース１１に設けられる。また、前記実施例においては、照合用のために、予めに前記識別コードＣ＿ＩＤを前記リモートサーバー１２の識別コードデータベースに保存すべきである。
【００２７】
本発明の車載用ホルダーの音声システムによれば、ＮＦＣ技術を利用して全自動誘導を行い、タッチしなくて車載用ホルダーの再生を自動的に起動でき、かつ、使用者のクラウド識別に対しても使用者サービスをより完璧に指定でき、さらに、文字言語処理、文字ソース選定処理、文字認識などの設定もより完璧になり、例えば、言語サポートがニーズに応じてサポート言語を追加できる。なお、冗長や不要な内容があった場合は、使用者がボタンによって任意に中止又は続行でき、運転の安全及び利便性をより向上させる。
【符号の説明】
【００２８】
１：車載用ホルダーの音声システム
１１：センサーベース
１１１：センサー回路シート
１２：リモートサーバー
１３：ローカル端末アプリケーションプログラム
２０：ＮＦＣタグ
【図１】
0006965386.tif 000002
【図２】
0006965386.tif 000003